(57)【要約】【課題】  静止画や動画の撮影作業を複数のユーザにより協力して行うことができるシステム、装置およびプログラムを提供する。【解決手段】  このシステムは、第１の情報通信端末と第２の情報通信端末とを含む。第１の情報通信端末は、被写体を読み取り、画像データとして出力する撮像部と、第２の情報通信端末へ画像データを送信するデータ送信部とを含み、第２の情報通信端末は、第１の情報通信端末から画像データを受信するデータ受信部と、受信した画像データを表示する表示部と、画像データの記録を行うデータ記録部に対して、表示されている画像データの記録を指示する記録指示部とを含む。【選択図】  図３
2015032953.tif 000002
【特許請求の範囲】
【請求項１】
第１の情報通信端末と第２の情報通信端末とを含む撮像システムであって、
前記第１の情報通信端末が、被写体を読み取り、画像データとして出力する撮像部と、前記第２の情報通信端末へ前記画像データを送信するデータ送信部とを含み、
前記第２の情報通信端末が、前記第１の情報通信端末から前記画像データを受信するデータ受信部と、受信した画像データを表示する表示部と、画像データの記録を行うデータ記録部に対して、表示されている画像データの記録を指示する記録指示部とを含む、撮像システム。
【請求項２】
前記第１の情報通信端末が、指示された画像データの記録を行う前記データ記録部と、記録された画像データを所定の記憶先に記憶するように制御する記憶制御部とをさらに備える、請求項１に記載の撮像システム。
【請求項３】
前記記録指示部は、記録された画像データの記憶先の情報を前記データ記録部に対して送信し、前記記憶制御部は、前記データ記録部が受信した記憶先の情報に基づき、記録された画像データを該記憶先へ送信する、請求項２に記載の撮像システム。
【請求項４】
前記記憶先は、前記第２の情報通信端末、または前記第１の情報通信端末と前記第２の情報通信端末とともにネットワークに接続された所定の記憶装置である、請求項２または３に記載の撮像システム。
【請求項５】
前記データ記録部は、指示された画像データを、静止画データまたは動画データとして記録する、請求項１〜４のいずれか１項に記載の撮像システム。
【請求項６】
前記第１の情報通信端末および前記第２の情報通信端末はそれぞれ、音声を入力するための音声入力部と、音声を出力するための音声出力部とをさらに備える、請求項１〜５のいずれか１項に記載の撮像システム。
【請求項７】
第１の情報通信端末と第２の情報通信端末とを含む撮像システムの該第２の情報通信端末として用いられる情報通信端末であって、
前記第１の情報通信端末から画像データを受信するデータ受信部と、
受信した画像データを表示する表示部と、
表示されている画像データの記録を前記第１の情報通信端末に対して指示する記録指示部とを含む、情報通信端末。
【請求項８】
第１の情報通信端末と第２の情報通信端末とを含む撮像システムの該第１の情報通信端末として用いられる情報通信端末であって、
被写体を読み取り、画像データとして出力する撮像部と、
前記第２の情報通信端末へ前記画像データを送信するデータ送信部と、
前記第２の情報通信端末から画像データの記録の指示を受け付ける指示受付部と、
指示された画像データを静止画データとして記録するデータ記録部と、
記録された静止画データを前記第２の情報通信端末へ送信するデータ送信部とを含む、情報通信端末。
【請求項９】
第１の情報通信端末と第２の情報通信端末とを含む撮像システムの該第２の情報通信端末に実行させるためのプログラムであって、
前記第１の情報通信端末から画像データを受信するステップと、
受信した画像データを表示するステップと、
表示されている画像データの記録を前記第１の情報通信端末に対して指示するステップとを実行させる、プログラム。
【請求項１０】
第１の情報通信端末と第２の情報通信端末とを含む撮像システムの該第１の情報通信端末に実行させるためのプログラムであって、
被写体を読み取り、画像データとして出力するステップと、
前記第２の情報通信端末へ前記画像データを送信するステップと、
前記第２の情報通信端末から画像データの記録の指示を受け付けるステップと、
指示された画像データを静止画データとして記録するステップと、
記録された静止画データを前記第２の情報通信端末へ送信するステップとを実行させる、プログラム。
【発明の詳細な説明】
【技術分野】
【０００１】
本発明は、複数の情報通信端末が協働して撮像を行う撮像システム、その撮像システムに用いられる情報通信端末、およびその情報通信端末に実行させるためのプログラムに関する。
【背景技術】
【０００２】
近年、スマートフォンやタブレット端末が普及し、それらを使用して画面共有を行い、ペーパレス会議を実施するためのソフトウェアが開発され、提供されている。このようなソフトウェアは、会議の場で発表者がもつタブレット端末の画面を、参加者がもつタブレット端末の画面に表示させて画面共有させるものであるが、会議の場以外でも、画面共有が有効な場面で複数人の共同作業を支援することが可能である。
【０００３】
ところで、共同作業を支援する目的ではないが、遠隔地を監視する業務を支援する目的で、遠隔地に設置されたカメラにより撮影された画像を、サーバが携帯端末装置へ送信し、携帯端末のキー操作に応じてカメラを制御する技術が知られている（特許文献１参照）。
【発明の概要】
【発明が解決しようとする課題】
【０００４】
タブレット端末の多くは、カメラを搭載しているため、上記技術を適用し、遠隔地にある一方のタブレット端末で撮影された映像を、他方のタブレット端末で取得して表示させることは可能である。また、上記ソフトウェアを使用し、複数のタブレット端末でその取得した映像を共有することも可能である。
【０００５】
タブレット端末を所持するユーザのみが被写体を撮像する場合、撮像するタイミングを逃してしまうことがある。その一方で、複数のユーザが協力して撮像作業を行うことができれば、そのタイミングを逃すことなく被写体の撮像が可能になる。
【０００６】
しかしながら、上記技術では、静止画や動画の撮影作業を一人のユーザのみが行い、上記ソフトウェアは、得られた静止画や動画の共有を実現するのみであるため、静止画や動画の撮影作業を複数のユーザにより協力して行うという目的に適用することはできない。
【０００７】
そこで、静止画や動画の撮影作業を複数のユーザにより協力して行うことができるシステムや方法の提供が望まれていた。
【課題を解決するための手段】
【０００８】
本発明は、上記課題に鑑み、第１の情報通信端末と第２の情報通信端末とを含む撮像システムであって、第１の情報通信端末が、被写体を読み取り、画像データとして出力する撮像部と、第２の情報通信端末へ画像データを送信するデータ送信部とを含み、第２の情報通信端末が、第１の情報通信端末から画像データを受信するデータ受信部と、受信した画像データを表示する表示部と、画像データの記録を行うデータ記録部に対して、表示されている画像データの記録を指示する記録指示部とを含む、撮像システムが提供される。
【発明の効果】
【０００９】
本発明によれば、静止画や動画の撮影作業を複数のユーザにより協力して行うことが可能となる。
【図面の簡単な説明】
【００１０】
【図１】本実施形態の撮像システムの構成例を示した図。
【図２】撮像システムに用いられる情報通信端末のハードウェア構成を例示した図。
【図３】情報通信端末の第１実施形態を示した機能ブロック図。
【図４】図３に示す情報通信端末が備える撮像部の詳細な構成を示した図。
【図５】図３に示す情報通信端末が備える表示部およびデータ受信部の詳細な構成を示した図。
【図６】第１の情報通信端末と、遠隔地に配置された第２の情報通信端末とが協働して被写体の撮像を行う処理の一例を示したシーケンス図。
【図７】第１の情報通信端末と、遠隔地に配置された第２の情報通信端末とが協働して被写体の撮像を行う処理の別の例を示したシーケンス図。
【図８】図７に示す処理の詳細な流れを示したシーケンス図。
【図９】撮像して得られた静止画の撮像データをネットワーク上の記憶装置に記憶させる処理の流れを示したシーケンス図。
【図１０】撮影した得られた動画の撮像データをネットワーク上の記憶装置に記憶させる処理の流れを示したシーケンス図。
【図１１】情報通信端末の第２実施形態を示した機能ブロック図。
【発明を実施するための形態】
【００１１】
図１は、本実施形態の撮像システムの構成例を示した図である。この撮像システムは、地理的に離れた少なくとも２つの地点に存在する少なくとも２つの情報通信端末を含んで構成され、これらの情報通信端末が協働して撮像を行うシステムである。
【００１２】
撮像システムは、図１に示すように、例えば、２つの情報通信端末１０、１１を含み、各情報通信端末１０、１１は、一点鎖線で示される各地点に配置されている。情報通信端末１０、１１は、インターネット等のネットワーク１２に接続され、ネットワーク１２を介して通信可能とされている。情報通信端末１０、１１は、ネットワーク１２に、ケーブル等の有線により、または無線により接続することができる。図１に示す実施形態では、無線により接続されていて、ネットワーク１２へは、アクセスポイント１３、１４と呼ばれる基地局を介して接続されている。
【００１３】
ネットワーク１２は、インターネットのほか、ＬＡＮ(Local Area Network)やＷＡＮ(Wide Area Network)であってもよい。情報通信端末１０、１１は、それぞれ撮像機能および通信機能を有し、被写体を撮像するための撮影ボタン１０ａ、１１ａ、撮像前や後の被写体の画像データを表示するための表示画面１０ｂ、１１ｂを有している。撮影ボタン１０ａ、１１ａは、物理的なボタンであってもよいし、表示画面１０ｂ、１１ｂ内に表示されたボタンであってもよい。図１では、表示画面１０ｂ、１１ｂ内に表示されたボタンとされている。
【００１４】
ここで、撮像前の画像データとは、被写体を読み取って表示画面等に出力された画像データであり、撮像後の画像データとは、被写体を読み取り、記憶装置等の所望の記憶先に記憶された画像データである。
【００１５】
情報通信端末１０が存在する地点に被写体があり、情報通信端末１０にてその被写体を撮像する場合、撮像前において、その被写体は、情報通信端末１０により読み取られ、画像データとして出力され、表示画面１０ｂ内に表示される。ユーザは、表示画面１０ｂ内の被写体が適当なサイズや向きで表示されるように情報通信端末１０の位置や向きを調整する。このとき、その表示画面１０ｂ内に表示される被写体の画像データは、ネットワーク１２を介して情報通信端末１１へ逐次送信され、情報通信端末１１が備える表示画面１１ｂ内にも表示される。なお、画像データは、一定時間間隔で取得した静止画像のデータであってもよいし、映像（動画）のデータであってもよい。
【００１６】
情報通信端末１１を所持するユーザは、情報通信端末１０から送信されてくる画像データを表示画面１１ｂに表示し、表示されている被写体を見て、自分が撮像したいタイミングで撮影ボタン１１ａを押下する。情報通信端末１１は、この撮影ボタン１１ａの押下を受けて、情報通信端末１０に指示し、その指示を受けて、情報通信端末１０が被写体を撮像する。撮像することにより取得された画像データは、情報通信端末１１へ送られ、情報通信端末１１が所望の記憶先にその画像データを記憶させる。
【００１７】
情報通信端末１１が存在する地点に被写体がある場合は、反対に、情報通信端末１１から被写体の画像データが情報通信端末１０へ逐次送信される。情報通信端末１０において撮影ボタン１０ａが押下されると、情報通信端末１１に指示し、それを受けて、情報通信端末１１が被写体を撮像する。撮像することにより取得された画像データは、情報通信端末１０へ送られ、情報通信端末１０がその画像データを所望の記憶先に記憶させる。
【００１８】
情報通信端末１０、１１には、持ち運び可能で、同じ構成の機器が使用される。情報通信端末１０、１１としては、撮像機能および通信機能を備えるノートＰＣ、タブレット端末、スマートフォン、ＰＤＡ(Personal Digital Assistant)等を用いることができる。これらは一例であるので、持ち運び可能で、撮像機能および通信機能を有する機器であれば、携帯型ゲーム機等、いかなる機器であってもよい。
【００１９】
図２を参照して、情報通信端末１０、１１のハードウェア構成について説明する。情報通信端末１０と情報通信端末１１は、同じ構成であるので、以下、情報通信端末１０についてのみ説明する。
【００２０】
情報通信端末１０は、操作パネル２０、センサ２１、外部機器Ｉ／Ｆ２２、ＲＡＭ(Random Access Memory)２３、ＲＯＭ(Read Only Memory)２４、ＣＰＵ２５を備えている。また、情報通信端末１０は、通信Ｉ／Ｆ２６、ＨＤＤ(Hard Disk Drive)２７、撮像装置２８、ＧＰＳ(Global Positioning System)２９を備えている。これらの各装置は、バス３０に接続され、バス３０を介してデータや情報のやりとりを行うように構成されている。
【００２１】
操作パネル２０は、表示装置および入力装置として機能し、機器情報等の各種情報を表示してユーザに提示し、動作設定や動作指示等のユーザ操作を受け付ける。センサ２１は、機器の状態、例えば回転や方向等を検知する。センサ２１としては、加速度センサ、地磁気センサ、照度センサ、近接センサ等を挙げることができる。
【００２２】
加速度センサは、加速度を検出するセンサで、傾きや振動等を検出するために利用される。地磁気センサは、地磁気の向きを検知するセンサで、方位を算出するために利用される。照度センサは、周囲の明るさを感知するセンサである。近接センサは、物体が接近したことを非接触で検出することができるセンサである。
【００２３】
外部機器Ｉ／Ｆ２２は、外部機器と接続するためのインタフェースである。外部機器としては、記憶装置、記録媒体、入力装置としてのキーボード、表示装置としてのディスプレイ等を挙げることができる。記憶装置としては、外付けＨＤＤ、外付けＳＳＤ(Solid State Drive)等を挙げることができる。記録媒体としては、ＳＤカード、ＵＳＢ(Universal Serial Bus)メモリ等を挙げることができる。
【００２４】
ＲＯＭ２４は、不揮発性メモリで、ブートプログラムやファームウェア等を記憶する。ＨＤＤ２７は、情報通信端末１０全体の制御を行うＯＳ(Operating System)、ＯＳ上で動作し、各種機能を実現するアプリケーション、各種データ等を記憶する。ＣＰＵ２５は、ＲＯＭ２４やＨＤＤ２７からプログラムを読み出して実行し、データの読み書きを行う。ＲＡＭ２３は、ＣＰＵ２５がプログラムを実行する際に必要とされる作業領域を与える。
【００２５】
通信Ｉ／Ｆ２６は、情報通信端末１０をネットワーク１２に接続するためのインタフェースである。通信Ｉ／Ｆ２６は、有線ネットワークや無線ネットワーク等、ネットワーク形態に応じた通信をサポートし、例えば、ＷｉＦｉ等の無線ＬＡＮ、Ｂｌｕｅｔｏｏｔｈ（登録商標）、赤外線通信等をサポートする。
【００２６】
撮像装置２８は、撮像レンズを備えるカメラとされ、被写体を読み取り、静止画や映像のデータ（画像データ）として出力する。また、撮像装置２８は、読み取った被写体の画像データをＨＤＤ２７や外部機器Ｉ／Ｆ２２に接続された記憶装置や記録媒体等に記憶させることにより記録する。ＧＰＳ２９は、情報通信端末１０が存在する現在の位置情報を、ＧＰＳ衛星から位置座標として受信するＧＰＳ受信機である。
【００２７】
図２は、センサ２１やＧＰＳ２９を備える構成を示しているが、情報通信端末１０は、センサ２１やＧＰＳ２９を備えていなくてもよく、どちらか一方のみを備えていてもよい。
【００２８】
図３は、情報通信端末１０の第１実施形態を示した機能ブロック図である。情報通信端末１０は、機能部として、データ送信部３１、データ受信部３２、表示部３３、データ記憶部３４、記憶制御部３５、指示受付部３６、撮像部３７、記録指示部３８を含んで構成される。ここでは、情報通信端末１０が、記憶装置としてのデータ記憶部３４を備えているが、これに限られるものではなく、この記憶装置は、外部機器として情報通信端末１０に接続された記憶装置や、ネットワーク１２に接続された記憶装置であってもよい。
【００２９】
情報通信端末１０は、他の情報通信端末と協働して撮像を行う処理を実現するためのプログラムを実装している。ユーザがそのプログラムを選択して起動すると、情報通信端末１０に設定された設定モードに従って動作する。なお、設定モードは、情報通信端末１０を所持するユーザによって自機器モードまたは他機器モードのいずれかに設定される。自機器モードとは、自機が撮像して得られた画像データを記録するモードで、他機器モードとは、他機が撮像して得られた画像データを取得して記録するモードである。ここで、モードには、これとは別に、静止画モードおよび動画モードがある。静止画モードとは、静止画として撮像するモードで、動画モードとは、動画として撮像するモードである。これらも、ユーザによっていずれか一方が設定される。
【００３０】
上記プログラムは、情報通信端末１０と他の情報通信端末との間で通信を確立した後に実行される。通信は、情報通信端末を識別するための識別情報、例えば、端末名、ＩＰ(Internet Protocol)アドレス、ＭＡＣ(Media Access Control)アドレス等を使用して行うことができる。また、通信は、ＴＣＰ(Transmission Control Protocol)／ＩＰ等の適切なプロトコルを使用して行うことができる。
【００３１】
自機器モードに設定されている場合は、自機で撮像を行い、自機に画像データを記録する通常の撮像動作と同様であるため、ここでは説明を省略する。以下、他機器モードに設定されているものとして詳細に説明する。情報通信端末１０は、被写体の撮像側の端末になる場合と、撮像を指示する側の端末になる場合があるので、場合分けして説明を行う。
【００３２】
情報通信端末１０が、被写体の撮像側の端末である場合、データ送信部３１は、撮像部３７により読み取られ、出力された被写体の映像を画像データとして、通信が確立されている他の情報通信端末、例えば情報通信端末１１へ送信する。データ送信部３１は、画像データを送信してすぐに再生させるストリーミング配信を行うことができる。指示受付部３６は、情報通信端末１１から画像データの記録の指示を受け付け、その指示をデータ記録部として機能する撮像部３７へ送る。撮像部３７は、その指示を受けて、被写体の撮像を行い、画像データの記録を行う。
【００３３】
撮像部３７は、内部に備えるメモリに画像データを記憶することにより記録を行う。データ送信部３１は、その記録された画像データを読み出し、情報通信端末１１へ送信する。この送信するタイミングは、記録されてすぐに読み出して送信してもよいし、一定時間経過後に読み出して送信してもよい。
【００３４】
ここで、図４を参照して、撮像部３７の詳細構成について説明する。撮像部３７は、レンズ４０、撮像素子４１、メモリ４２、撮像モード管理部４３、ファイルフォーマット形成部４４を含んで構成される。レンズ４０は、被写体からの光を入射させ、その光を撮像素子４１に適切に入力させる。撮像素子４１は、入力された光を電気信号へ変換し、アナログ信号である電気信号をデジタルデータへ変換する。
【００３５】
撮像モード管理部４３は、静止画モードまたは動画モードのいずれか一方の撮像モードを管理し、撮像開始時に設定されている撮像モードを撮像素子４１およびファイルフォーマット形成部４４に通知する。ファイルフォーマット形成部４４は、デジタルデータから、通知を受けた撮像モードに対応するファイルフォーマットに従った画像データを生成する。ファイルフォーマット形成部４４は、生成した画像データをメモリ４２に記憶させることにより記録する。メモリ４２は、記憶された画像データを送信または表示するために、データ送信部３１や表示部３３によりアクセスされる。
【００３６】
静止画モードの場合、撮像素子４１は、ファイルフォーマット形成部４４へ１回の撮像操作につき、解像度が高い１枚分の画像のデジタルデータを出力する。ファイルフォーマット形成部４４は、デジタルデータからＪＰＥＧ(Joint Photographic Experts Group)といった静止画像フォーマットに従った画像データを生成する。なお、静止画像フォーマットは、ＰＮＧ(Portable Network Graphics)等であってもよい。
【００３７】
動画モードの場合、撮像素子４１は、ファイルフォーマット形成部４４へ１回の撮像操作につき、解像度が比較的低い複数枚分の画像のデジタルデータを出力する。なお、出力する枚数は、撮影時間により決定される。ファイルフォーマット形成部４４は、取得したデジタルデータからＨ．２６４等の動画フォーマットに従った画像データを生成する。ちなみに、撮像前においては、この動画モードの場合と同様に複数枚分の画像のデジタルデータから動画フォーマットに従った画像データを生成し、それをデータ送信部３１がメモリ４２から読み出して送信する。
【００３８】
再び図３を参照して、情報通信端末１０が撮像を指示する側の端末である場合、データ受信部３２は、通信が確立されている情報通信端末１１から被写体の画像データを受信する。この画像データは、ストリーミング配信される画像データであってもよい。表示部３３は、データ受信部３２が受信した画像データを、ディスプレイ等の画面上に表示する。
【００３９】
ここで、図５を参照して、データ受信部３２および表示部３３の詳細構成について説明する。図５（ａ）は、データ受信部３２の詳細構成を、図５（ｂ）は、表示部３３の詳細構成を示す。図５（ａ）に示すデータ受信部３２は、メモリ３２ａを備え、そのメモリ３２ａ内に一時的にデータを蓄積するためのバッファ３２ｂを備えている。ストリーミング配信により配信された画像データは、このバッファ３２ｂ内に逐次的に蓄積される。そして、表示部３３から逐次的に読み出されて再生され、画面上に表示される。このため、このバッファ３２ｂは、先入れ先出し(FIFO)構造とされる。
【００４０】
図５（ｂ）に示す表示部３３は、バッファ３２ｂから画像データを取得して再生するデータ再生部３３ａと、再生したデータを表示するディスプレイ３３ｂとを含んで構成される。ディスプレイ３３ｂとしては、ＣＲＴ(Cathode Ray Tube)、液晶ディスプレイ、プラズマディスプレイ、有機ＥＬ(Electro-Luminescence)ディスプレイ等を挙げることができる。
【００４１】
再び図３を参照して、記録指示部３８は、情報通信端末１０を所持するユーザからの記録の指示を受け付ける。すなわち、記録指示部３８は、ユーザが撮影ボタン１０ａを押下したことを検出し、記録の指示を、被写体の撮像側の端末としての情報通信端末１１へ送る。この指示は、コマンドとして送ってもよいし、メッセージ等として通知することもできる。
【００４２】
記録指示部３８は、撮像開始時に静止画モードに設定されている場合、撮影ボタン１０ａが１回押下されたことのみを検出する。これは、撮影ボタン１０ａが押下されたタイミングで１枚分の画像の画像データのみを取得すればよいからである。これに対し、動画モードに設定されている場合は、複数枚分の画像の画像データを取得する必要があるため、撮影ボタン１０ａが一度押下され、その後に再度押下されたことを検出する。最初の押下で撮像開始を検出し、二度目の押下で撮像終了を検出するためである。
【００４３】
データ受信部３２は、この指示により情報通信端末１１で撮像して得られた画像データも受信する。このとき、バッファ３２ｂには、受信した画像データが蓄積される。記憶制御部３５は、記録指示部３８が情報通信端末１１に対して記録の指示を送ったことを受けて、バッファ３２ｂに蓄積された画像データを取得し、所定の記憶先としてのデータ記憶部３４に記憶させる処理を実行する。
【００４４】
これらの機能部は、図２に示したＨＤＤ２７に記憶されたプログラムをＣＰＵ２５がＲＡＭ２３に読み出し、実行することにより、また、操作パネル２０、通信Ｉ／Ｆ２６および撮像装置２８により実現される。
【００４５】
図６に示すシーケンス図を参照し、２つの情報通信端末、すなわち情報通信端末Ａと、遠隔地に配置された情報通信端末Ｂとが協働して被写体の撮像を行う処理の一例について説明する。情報通信端末Ａおよび情報通信端末Ｂは、いずれもカメラといった撮像部を備える持ち運び可能な装置とされている。
【００４６】
図６では、情報通信端末Ａが、撮像を指示する側の端末で、情報通信端末Ｂが、被写体の撮像側の端末とされている。この実施形態では、撮像モードが静止画モードに設定されている。情報通信端末Ａ、Ｂはそれぞれ、以下のような撮像制御処理を実行する。
【００４７】
情報通信端末Ｂは、自機の撮像部により画像データを読み取って取得し、その画像データを情報通信端末Ａへ送信する。この画像データは、例えば、ストリーミング配信される。
【００４８】
情報通信端末Ａは、情報通信端末Ｂから受信した画像データを画面上に表示する。情報通信端末Ａを所持するユーザは、その画面を見ながら、自分が撮影したいと思ったタイミングで撮影ボタンを押下する。情報通信端末Ａは、撮影ボタンの押下を検出し、表示されている画像データの記録の指示を情報通信端末Ｂへ送信する。
【００４９】
情報通信端末Ｂは、その指示を受けて、撮像部が被写体の撮像を行う。ここでは、出力された画像データが静止画データとして得られ、撮像部内のメモリに記録される。情報通信端末Ｂは、記録された静止画データを、情報通信端末Ａへ送信する。
【００５０】
情報通信端末Ａは、情報通信端末Ｂから受信した静止画データを記憶制御部へ送ってデータ記憶部に記憶し、この被写体の撮像を行う処理を終了する。なお、これで終了せず、データ記憶部への記憶が終了した後、再び画像データを受信し、任意のタイミングで撮影ボタンを押下し、再び記録の指示を送信することも可能である。この指示は、上記のようにして２回以上送信し、２つ以上の静止画データを取得し、データ記憶部に記憶させることも可能である。
【００５１】
図７に示すシーケンス図を参照し、情報通信端末Ａと、遠隔地に配置された情報通信端末Ｂとが協働して被写体の撮像を行う処理の別の例について説明する。この場合も、情報通信端末Ａと情報通信端末Ｂは、いずれもカメラといった撮像部を備える持ち運び可能な装置とされている。また、情報通信端末Ａが、撮像を指示する側の端末で、情報通信端末Ｂが、被写体の撮像側の端末とされている。この実施形態では、撮像モードが動画モードに設定されている。情報通信端末Ａ、Ｂはそれぞれ、以下のような撮像制御処理を実行する。
【００５２】
情報通信端末Ｂは、自機の撮像部により画像データを取得し、その画像データを情報通信端末Ａへ送信する。この画像データは、例えば、ストリーミング配信される。
【００５３】
情報通信端末Ａは、情報通信端末Ｂから受信した画像データを画面上に表示する。情報通信端末Ａを所持するユーザは、その画面を見ながら、自分が撮影したいと思ったタイミングで撮影ボタンを押下する。情報通信端末Ａは、その記録の指示を受け付ける。動画モードの場合は、自機が備える記憶制御部がデータ記録部として機能し、その指示を情報通信端末Ｂへは送信せず、記憶制御部へ送る。情報通信端末Ｂから送信されてくる画像データはバッファに蓄積されるので、記憶制御部は、その指示を受けて、バッファから画像データを取得し、データ記憶部に記憶させる処理を実行する。なお、情報通信端末Ａは、この記憶を行っている間、バッファから画像データを逐次的に取得し、画面上に表示させることができる。
【００５４】
情報通信端末Ａを所持するユーザは、画面を見ながら、撮影を終了したいと思ったタイミングで撮影ボタンを再び押下し、情報通信端末Ａが撮影終了指示を受け付ける。動画モードの場合、この撮影終了指示も、情報通信端末Ｂへは送信されず、記憶制御部へ送られる。情報通信端末Ａの記憶制御部は、この指示を受けてバッファから画像データの取得を停止し、データ記憶部への記憶を終了する。このとき、画像データの取得および画面上への表示は、継続して行ってもよいし、画像データの記憶終了とともに終了してもよい。
【００５５】
図７に示した処理をより詳細に示した図が、図８である。図８に示すように、情報通信端末Ｂから送信された画像データは、情報通信端末Ａ内のバッファに蓄積される。データ再生部は、バッファに順に蓄積されるデータを順に読み出して再生し、それをディスプレイへ送り、表示させる。ユーザは、この表示された画面を見て、自分が撮影したいと思ったタイミングで撮影ボタンを一度押下する。
【００５６】
情報通信端末Ａの指示受付部は、この押下により記録の指示を受け付け、記憶制御部に指示し、記憶制御部が、バッファから、その指示を受け付けた際に再生されているデータから順に取得し、それをデータ記憶部に記憶させる。
【００５７】
ユーザは、画面を見ながら、自分が撮影を終了したいと思ったタイミングで撮影ボタンを再度押下する。情報通信端末Ａの指示受付部は、この再度の押下により記録終了の指示を受け付け、記憶制御部に指示し、記憶制御部が、データの取得を終了し、データ記憶部への記憶も終了する。
【００５８】
このようにすることで、情報通信端末Ｂを所持するユーザとともに、情報通信端末Ａを所持するユーザも記録を指示して撮像を行うことができるので、撮影タイミングを逃さないように協力して撮像作業を行うことができる。
【００５９】
図６および図７に示した実施形態では、情報通信端末Ａが備えるデータ記憶部を記憶先とし、そのデータ記憶部に撮像データを記憶した。記憶先は、上記のように、情報通信端末Ａが備えるデータ記憶部に限られるものではなく、ネットワーク１２に接続される記憶装置や、情報通信端末Ａにケーブル等により接続された記憶装置等であってもよい。また、記憶先は、情報通信端末Ｂが備えるデータ記憶部や、情報通信端末Ｂにケーブル等により接続された記憶装置であってもよい。
【００６０】
図９および図１０では、記憶先をネットワーク１２に接続された記憶装置（ネットワークストレージ）とした場合の、２つの情報通信端末が協働して被写体の撮像を行う処理について説明する。図９に示す静止画モードにおいては、撮像を行う処理まで、図６に示した処理と同じであるが、記録の指示を送信する際、記憶先の情報、すなわちネットワーク１２上の記憶先を指定するアドレス情報も一緒に送信している。
【００６１】
図９では、情報通信端末Ｂが撮像部により被写体を撮像した後、撮像により得られた画像データをそのアドレス情報で指定された記憶先のネットワークストレージへ送り、記憶装置に記憶させている。記憶先の情報は、ネットワークストレージのアドレスのみであってもよいが、それに加えて、ネットワークストレージに作成されている複数のフォルダのうちの１つを指定していてもよい。アドレスは、例えば、ｈｔｔｐ：／／ｗｗｗ．ｔｅｓｔ−ｓｔｏｒａｇｅ．ｃｏｍ／ｓｔｏｒａｇｅ／ｔａｂｌｅｔＡ等とすることができる。
【００６２】
なお、ネットワーク１２に接続されるネットワークストレージには、アクセス権が付与されている場合がある。アクセス権は、ネットワークストレージに保存されたデータやフォルダを利用する権限のことである。情報通信端末Ｂにアクセス権がない場合、上記アドレスのフォルダへアクセスし、画像データを記憶させることができないため、情報通信端末Ｂには予めアクセス権が付与される。
【００６３】
ネットワーク１２に接続されるネットワークストレージを用いることで、撮像することにより取得された画像データの共有がしやすくなる。すなわち、情報通信端末Ａに画像データが記憶されると、情報通信端末Ｂを所持するユーザは、情報通信端末Ａを所持するユーザに依頼して取得する必要があるが、依頼する手間が省けるので、共有しやすくなる。これにより、撮像後の業務をスムーズに行うことができる。
【００６４】
図１０に示す動画モードにおいては、画像データのデータ記憶部への記憶までは、図７に示した処理と同様である。図１０では、情報通信端末Ａのローカルに保存した画像データである動画データを、記憶先を指定するアドレス情報を基に送信する。
【００６５】
動画データの送信タイミングは、情報通信端末Ａが情報通信端末Ｂから撮像を終了するまでの画像データを取得した後である。画像データの取得中にネットワークストレージへ動画データを送信すると、ネットワーク帯域を圧迫し、情報通信端末Ｂからの画像データの取得にタイムラグが生じる等の悪影響が出る可能性があるためである。
【００６６】
タブレット端末等の情報通信端末は、一般に、音声を入力するためのマイクや、音声を出力するためのスピーカも備えている。遠隔地にいるユーザと協力して撮像作業を行う場合、このようなコミュニケーションを図ることができる手段を利用することができれば、作業の質を高めることができる。
【００６７】
そこで、図１１に示すように、情報通信端末１０は、音声入力部５０と、音声出力部５１とをさらに備えることができる。情報通信端末１０から他の情報通信端末に対して何らかの指示を送りたい場合、音声入力部５０に向けて発声し、音声を入力する。その音声は、デジタル信号へ変換され、ネットワーク１２を介して他の情報通信端末へ送信される。他の情報通信端末も、音声入力部および音声出力部を備えることから、その音声出力部によりデジタル信号が音声へ変換され、音声が出力される。また、他の情報通信端末の音声入力部に入力された音声は、ネットワーク１２を介して情報通信端末１０へ送信され、情報通信端末１０の音声出力部５１から出力される。
【００６８】
このようにして音声により指示や作業を伝達することができるので、複数のユーザの間で相談しながら協力して撮像作業を行うことができる。この場合、情報通信端末の角度や位置の調整、撮影する方角や場所の変更等を細かく指示、相談することができる。
【００６９】
これまで本発明の撮像システム、その撮像システムに用いられる情報通信端末、および撮影制御方法について図面に示した実施形態を参照しながら詳細に説明してきたが、本発明は、上述した実施形態に限定されるものではない。本発明は、他の実施形態や、追加、変更、削除など、当業者が想到することができる範囲内で変更することができ、いずれの態様においても本発明の作用・効果を奏する限り、本発明の範囲に含まれるものである。したがって、撮影制御方法を情報通信端末等のコンピュータに実行させるためのプログラムや、上記のプログラムが記録された記録媒体も提供することができるものである。
【符号の説明】
【００７０】
１０、１１…情報通信端末、１０ａ、１１ａ…撮影ボタン、１０ｂ、１１ｂ…表示画面、１２…ネットワーク、１３、１４…アクセスポイント、２０…操作パネル、２１…センサ、２２…外部機器Ｉ／Ｆ、２３…ＲＡＭ、２４…ＲＯＭ、２５…ＣＰＵ、２６…通信Ｉ／Ｆ、２７…ＨＤＤ、２８…撮像装置、２９…ＧＰＳ、３０…バス、３１…データ送信部、３２…データ受信部、３２ａ…メモリ、３２ｂ…バッファ、３３…表示部、３３ａ…データ再生部、３３ｂ…ディスプレイ、３４…データ記憶部、３５…記憶制御部、３６…指示受付部、３７…撮像部、３８…記録指示部、４０…レンズ、４１…撮像素子、４２…メモリ、４３…撮像モード管理部、４４…ファイルフォーマット形成部、５０…音声入力部、５１…音声出力部
【先行技術文献】
【特許文献】
【００７１】
【特許文献１】特開２０１０−０８７５８２号公報
【図１】
2015032953.tif 000003
【図２】
2015032953.tif 000004
【図３】
2015032953.tif 000005
【図４】
2015032953.tif 000006
【図５】
2015032953.tif 000007
【図６】
2015032953.tif 000008
【図７】
2015032953.tif 000009
【図８】
2015032953.tif 000010
【図９】
2015032953.tif 000011
【図１０】
2015032953.tif 000012
【図１１】
2015032953.tif 000013